(57)【要約】【課題】スクリーン部材のメンテナンス性を向上することができるスクリーン装置を提供する。【解決手段】スクリーン装置Ｘ１は、スクリーン部材２２と、スクリーン部材２２の上下方向に沿って延び、スクリーン部材２２の左右方向における変位を規制しつつスクリーン部材２２の上下方向における移動が可能となるようにスクリーン部材２２の側端部２２ａを保持する内側ガイドレール６０と、スクリーン部材２２の上下方向に沿って延びるとともに、内側ガイドレール６０を収容する凹部５４を有する外側ガイドレール５０と、を備え、外側ガイドレール５０は、スクリーン部材２２の左右方向において内側ガイドレール６０を凹部５４から着脱可能な状態で保持する。【選択図】図２
2015209731.tif 000002
【特許請求の範囲】
【請求項１】
スクリーン部材と、
前記スクリーン部材の上下方向に沿って延び、前記スクリーン部材の左右方向における変位を規制しつつ前記スクリーン部材の前記上下方向における移動が可能となるように前記スクリーン部材の側端部を保持するレール部材と、
前記上下方向に沿って延びるとともに、前記レール部材を収容する凹部を有するレール収容部材と、を備え、
前記レール収容部材は、前記左右方向において前記レール部材を前記凹部から着脱可能な状態で保持する、スクリーン装置。
【請求項２】
前記レール部材は、前記スクリーン部材の前記上下方向に沿って延びるとともに前記スクリーン部材の前記側端部を収容する収容部と、前記上下方向に沿って延びるとともに前記収容部の内部と外部とを連通するスリットと、を有し、
前記スリットの幅は、前記スクリーン部材の前記側端部の厚みよりも小さく、
前記レール部材は、前記スクリーン部材の前記側端部が前記スリットを通じて前記収容部に収容されることで、前記スクリーン部材の前記左右方向における変位を規制する、請求項１に記載のスクリーン装置。
【請求項３】
前記レール収容部材は、前記凹部を挟んで前記スクリーン部材の厚み方向の両側に位置する第１側壁および第２側壁と、前記第１側壁および前記第２側壁を連結する第１底壁と、前記第１底壁から前記凹部へ延びる第１中間壁と、前記第１底壁から前記凹部へ延びるとともに前記第１中間壁よりも前記第２側壁側に位置する第２中間壁と、を有し、
前記レール部材は、前記第１底壁に対向する第２底壁と、前記第２底壁から前記第１底壁側へ延びる第１突起部と、前記第１突起部から当該第１突起部の突起方向と交差する方向に延びる第１舌片と、前記第２底壁から前記第１底壁側へ延びるとともに前記第１突起部とは離間する第２突起部と、前記第２突起部から当該第２突起部と交差する方向に延びる第２舌片と、を有し、
前記第１突起部が前記第１側壁と前記第１中間壁との間の空間に挿入されることで、前記第１舌片が前記スクリーン部材の厚み方向において前記第１突起部と前記第１側壁との間または前記第１突起部と前記第１中間壁との間で弾性変形するとともに、前記第２突起部が前記第２側壁と前記第２中間壁との間の空間に挿入されることで、前記第２舌片が前記厚み方向において前記第２突起部と前記第２側壁との間または前記第２突起部と前記第２中間壁との間で弾性変形し、これにより前記レール収容部材が前記レール部材を保持する、請求項２に記載のスクリーン装置。
【請求項４】
前記レール収容部材は、前記凹部を挟んで前記スクリーン部材の厚み方向の両側に位置する第１側壁および第２側壁を有し、
前記レール部材は、前記第１側壁に対向する第１対向壁と、前記第１対向壁から前記第１側壁側に延びる第１舌片と、前記第２側壁に対向する第２対向壁と、前記第２対向壁から前記第２側壁側に延びる第２舌片と、を有し、
前記第１舌片が前記第１側壁と前記第１対向壁との間において弾性変形するとともに、前記第２舌片が前記第２側壁と前記第２対向壁との間において弾性変形し、これにより前記レール収容部材が前記レール部材を保持する、請求項２に記載のスクリーン装置。
【発明の詳細な説明】
【技術分野】
【０００１】
本発明は、スクリーン装置に関する。
【背景技術】
【０００２】
従来、スクリーン装置としては、例えば特許文献１に記載された巻取式スクリーン装置が知られている。この巻取式スクリーン装置は、スクリーン部材に相当するネットと、当該スクリーン部材が巻付けられた巻取軸と、スクリーン部材の左右方向における側端部に取り付けられた係止部材と、当該係止部材を収容する中空状の抜止部材と、当該抜止部材を収容する中空状の支持部材と、を備えている。抜止部材は、その内部に係止部材を収容することにより、スクリーン部材の左右方向における変位を規制するとともに当該スクリーン部材の上下方向における変位を許容するレール部材として機能している。支持部材は、スクリーン部材の左右方向において抜止部材が支持部材から脱離しないように当該抜止部材を収容するレール収容部材として機能している。
【先行技術文献】
【特許文献】
【０００３】
【特許文献１】実公平６−２９４４０号公報
【発明の概要】
【発明が解決しようとする課題】
【０００４】
特許文献１に記載の巻取式スクリーン装置では、スクリーン部材の左右方向において、レール部材によってスクリーン部材の変位が規制されるとともにレール収容部材によって当該レール収容部材に対するレール部材の脱離が規制されるため、スクリーン部材のメンテナンスを行う目的でスクリーン部材およびレール部材の係合体とレール収容部材とを分離するためには、例えばレール収容部材を窓枠等に沿って固定するための枠部材から当該レール収容部材を取り外した上で、スクリーン部材の上下方向に沿ってレール収容部材からレール部材および係止部材を抜き取るという煩雑な工程が必要となり、前記メンテナンス性が低下する。
【０００５】
本発明は、このような事情に鑑みてなされたものであり、その目的は、スクリーン部材のメンテナンス性を向上することができるスクリーン装置を提供することにある。
【課題を解決するための手段】
【０００６】
本発明に係るスクリーン装置は、スクリーン部材と、前記スクリーン部材の上下方向に沿って延び、前記スクリーン部材の左右方向における変位を規制しつつ前記スクリーン部材の前記上下方向における移動が可能となるように前記スクリーン部材の側端部を保持するレール部材と、前記上下方向に沿って延びるとともに、前記レール部材を収容する凹部を有するレール収容部材と、を備え、前記レール収容部材は、前記左右方向において前記レール部材を前記凹部から着脱可能な状態で保持する。
【０００７】
上記のスクリーン装置では、スクリーン部材の左右方向においてレール部材が凹部から着脱可能となるように、レール収容部材がレール部材を保持するため、スクリーン部材のメンテナンスを行う場合に、スクリーン部材の側端部が保持されるレール部材をレール収容部材の凹部から容易に取り外すことができる。このため、例えばレール収容部材を窓枠等に沿って固定するための枠部材に当該レール収容部材が取り付けられた状態で、レール部材をレール収容部材の凹部から取り外すことができ、これにより当該レール部材をスクリーン部材の上下方向に沿ってレール収容部材の凹部から抜き取るような煩わしい工程が不要となるので、スクリーン部材とレール部材との係合体をレール収容部材から容易に分離することができ、スクリーン部材のメンテナンス性が向上する。
【０００８】
前記レール部材は、前記スクリーン部材の前記上下方向に沿って延びるとともに前記スクリーン部材の前記側端部を収容する収容部と、前記上下方向に沿って延びるとともに前記収容部の内部と外部とを連通するスリットと、を有し、前記スリットの幅は、前記スクリーン部材の前記側端部の厚みよりも小さく、前記レール部材は、前記スクリーン部材の前記側端部が前記スリットを通じて前記収容部に収容されることで、前記スクリーン部材の前記左右方向における変位を規制することが好ましい。
【０００９】
上記のスクリーン装置では、スリットの幅をスクリーン部材の側端部の厚みよりも小さく設定することで、当該側端部がスリットを通じてレール部材の外部へ抜け出ることを抑止でき、これによりスクリーン部材の左右方向における変位が規制されるため、当該左右方向においてスクリーン部材とレール部材とが分離することを抑止できる。
【００１０】
前記レール収容部材は、前記凹部を挟んで前記スクリーン部材の厚み方向の両側に位置する第１側壁および第２側壁と、前記第１側壁および前記第２側壁を連結する第１底壁と、前記第１底壁から前記凹部へ延びる第１中間壁と、前記第１底壁から前記凹部へ延びるとともに前記第１中間壁よりも前記第２側壁側に位置する第２中間壁と、を有し、前記レール部材は、前記第１底壁に対向する第２底壁と、前記第２底壁から前記第１底壁側へ延びる第１突起部と、前記第１突起部から当該第１突起部の突起方向と交差する方向に延びる第１舌片と、前記第２底壁から前記第１底壁側へ延びるとともに前記第１突起部とは離間する第２突起部と、前記第２突起部から当該第２突起部と交差する方向に延びる第２舌片と、を有し、前記第１突起部が前記第１側壁と前記第１中間壁との間の空間に挿入されることで、前記第１舌片が前記スクリーン部材の厚み方向において前記第１突起部と前記第１側壁との間または前記第１突起部と前記第１中間壁との間で弾性変形するとともに、前記第２突起部が前記第２側壁と前記第２中間壁との間の空間に挿入されることで、前記第２舌片が前記厚み方向において前記第２突起部と前記第２側壁との間または前記第２突起部と前記第２中間壁との間で弾性変形し、これにより前記レール収容部材が前記レール部材を保持することが好ましい。
【００１１】
上記のスクリーン装置では、スクリーン部材の左右方向に沿ってレール収容部材の凹部にレール部材を収容するに際して、第１突起部が第１側壁と第１中間壁との間の空間に挿入されるとともに、第２突起部が第２側壁と第２中間壁との間の空間に挿入されることで、前記第１舌片および前記第２舌片が前記スクリーン部材の厚み方向において弾性変形し、これにより当該弾性変形の反発力が少なくとも第１側壁、第１中間壁、第２側壁、および第２中間壁のいずれかに加わるため、第１舌片および第２舌片によって第１突起部および第２突起部が第１側壁と第１中間壁との間の空間および第２側壁と第２中間壁との間の空間から不用意に抜け出ることを抑止でき、レール部材をレール収容部材に適正に保持させることができる。
【００１２】
また、前記レール収容部材は、前記凹部を挟んで前記スクリーン部材の厚み方向の両側に位置する第１側壁および第２側壁を有し、前記レール部材は、前記第１側壁に対向する第１対向壁と、前記第１対向壁から前記第１側壁側に延びる第１舌片と、前記第２側壁に対向する第２対向壁と、前記第２対向壁から前記第２側壁側に延びる第２舌片と、を有し、前記第１舌片が前記第１側壁と前記第１対向壁との間において弾性変形するとともに、前記第２舌片が前記第２側壁と前記第２対向壁との間において弾性変形し、これにより前記レール収容部材が前記レール部材を保持してもよい。
【００１３】
上記のスクリーン装置では、レール部材が当該レール部材の第１対向壁からレール収容部材の第１側壁側に延びる第１舌片と、当該レール部材の第２対向壁からレール収容部材の第２側壁側に延びる第２舌片と、を有するため、スクリーン部材の左右方向に沿ってレール部材をレール収容部材の凹部に収容する際に、当該収容過程において第１舌片および第２舌片をスクリーン部材の厚み方向に弾性変形させることができ、これにより凹部へのレール部材の収容とレール収容部材におけるレール部材の保持とを同時に達成することができる。
【発明の効果】
【００１４】
以上のように、本発明によれば、スクリーン部材のメンテナンス性を向上することができるスクリーン装置が提供される。
【図面の簡単な説明】
【００１５】
【図１】本実施形態に係るスクリーン装置を示す概略平面図である。
【図２】図１に示すＩ−Ｉ線断面図である。
【図３】図１に示すＩＩ−ＩＩ線断面図である。
【図４】本実施形態に係るスクリーン装置の製造工程における経過を示す概略断面図であって、枠部材に対して外側ガイドレールを取り付けた状態を示す。
【図５】本実施形態に係るスクリーン装置の製造工程における経過を示す概略斜視図であって、枠部材に対して外側ガイドレールおよび巻取スクリーンを取り付けた状態を示す。
【図６】本実施形態に係るスクリーン装置の製造工程における経過を示す概略断面図であって、外側ガイドレールの凹部に内側ガイドレールを収容する前の状態を示す。
【図７】本実施形態に係るスクリーン装置の製造工程における経過を示す概略斜視図であって、外側ガイドレールの凹部に内側ガイドレールを収容した状態を示す。
【図８】本実施形態に係るスクリーン装置の製造工程における経過を示す概略斜視図であって、前面カバーおよびウェイトバーのサイドキャップを取り付けた状態を示す。
【図９】本実施形態に係るスクリーン装置の変形例を示す概略断面図である。
【発明を実施するための形態】
【００１６】
以下、本発明の一実施形態について、図面を参照しながら説明する。但し、以下で参照する各図は、説明の便宜上、本発明の一実施形態の構成部材のうち、本発明を説明するために必要な主要部材を簡略化して示したものである。したがって、本発明に係るスクリーン装置は、本明細書が参照する各図に示されていない任意の構成部材を備え得る。
【００１７】
図１〜図３に示すように、スクリーン装置Ｘ１は、住宅等における窓枠に適用される巻取式のスクリーン装置であって、枠部材１、巻取スクリーン２、前面カバー３、ウェイトバー４、一対のガイドレール５、および複数の固定部材７を備えている。スクリーン装置Ｘ１は、例えば、後述するスクリーン部材２２を電動で巻き取る構成であってもよいし、当該スクリーン部材２２をチェーン等によって手動で巻き取る構成であってもよい。なお、本発明に係るスクリーン装置は、巻取式以外の方式にも適用される。また、本発明に係るスクリーン装置は、住宅等における窓枠のみならず、例えば、プロジェクタスクリーン等にも適用される。
【００１８】
枠部材１は、スクリーン装置Ｘ１の外枠を構成する部材である。本実施形態では、枠部材１は、平面視して矩形状である。ここで、当該枠部材１によって取り囲まれる矩形状の領域は、後述するスクリーン部材２２によって開閉される領域となる。なお、枠部材１は、平面視して矩形状でなくともよく、スクリーン装置Ｘ１の使用態様に応じて適宜変更することができる。また、枠部材１はなくともよく、例えば、住宅等における窓枠を枠部材１として利用してもよい。
【００１９】
巻取スクリーン２は、巻取軸２１およびスクリーン部材２２を備えている。
【００２０】
巻取軸２１は、スクリーン部材２２を巻き取る役割を有する。巻取軸２１は、枠部材１の短手方向に延びる円柱形状の部材である。巻取軸２１は、枠部材１によって取り囲まれる領域において、当該枠部材１の上枠に沿って配置されている。また、巻取軸２１は、当該巻取軸２１の周方向に回動可能な状態で、枠部材１の両側枠に取り付けられている。なお、巻取軸２１は、枠部材１の下枠に沿って配置されていてもよい。
【００２１】
スクリーン部材２２は、枠部材１によって取り囲まれる領域を開閉する役割を有する。スクリーン部材２２の上端部は、巻取軸２１に接続されている。そして、スクリーン部材２２は、巻取軸２１の回動に応じて当該巻取軸２１に巻き取られることで、枠部材１によって取り囲まれる領域の一部または全部を開放するとともに、巻取軸２１の回動に応じて当該巻取軸２１から送り出されることで、当該領域の一部または全部を閉鎖する。
【００２２】
スクリーン部材２２は、当該スクリーン部材２２の左右方向の両端に位置する側端部２２ａを有している。各側端部２２ａは、後述する各ガイドレール５の各内側ガイドレール６０にそれぞれ保持される部位であって、当該各側端部２２ａ以外の部位に比して厚みが大きく設定されている。各側端部２２ａは、例えば、シート状のスクリーン素材の左右方向における両側端に対して当該スクリーン素材を表裏両面から覆うように抜止部材が取り付けられることで形成され、これにより各側端部２２ａの厚みが当該各側端部２２ａ以外の部位の厚みに比して大きく設定される。なお、各側端部２２ａは、例えば、シート状のスクリーン素材の左右方向における両側端部自体の厚みを当該両側端部以外の部位の厚みに比して大きく設定することで形成されてもよい。
【００２３】
前面カバー３は、巻取軸２１が使用者から視認されることを抑止する役割を有する。前面カバー３は、平面視して巻取軸２１と重なるように、当該巻取軸２１の前方、すなわち使用者側に配置されている。前面カバー３は、例えば、図示しないマグネットシート等を用いて枠部材１に固定されている。
【００２４】
ウェイトバー４は、巻取軸２１からスクリーン部材２２が送り出された状態において、スクリーン部材２２に対して当該スクリーン部材２２の上下方向に適度な張力を与える役割を有する。ウェイトバー４は、本体部４１と左右一対のサイドキャップ４２とを有している。本体部４２は、スクリーン部材２２の左右方向に沿って延びており、当該スクリーン部材２２の下端部に取り付けられている。この本体部４１の長さは、スクリーン部材２２の左右方向における幅よりも少し短く設定されている。そして、本体部４１の左右両側において当該本体部４１から露出した前記下端部の両端にサイドキャップ４２が取り付けられている。具体的には、図３に示すように、サイドキャップ４２は、一方側部材４２ａと他方側部材４２ｂを含んでおり、当該一方側部材４２ａと他方側部材４２ｂとがスクリーン部材２２の厚み方向において当該スクリーン部材２２の下端部を挟み込んだ状態で図示しないビス等の固定具によって固定されている。サイドキャップ４２は、一方側部材４２ａと他方側部材４２ｂとの間において凹部４２ｃを有しており、本体部４１の端部が当該凹部４２ｃに嵌め込まれている。また、サイドキャプ４２のうち凹部４２ｃとは反対側の端部は、後述する外側ガイドレール５０の凹部５４に嵌め込まれている。
【００２５】
各ガイドレール５は、スクリーン部材２２の上下動をガイドする役割を有する。各ガイドレール５は、枠部材１によって取り囲まれる領域において当該枠部材１の両側枠に沿ってそれぞれ配置されている。各ガイドレール５は、外側ガイドレール５０および内側ガイドレール６０を備えている。
【００２６】
外側ガイドレール５０は、本発明に係るスクリーン装置のレール収容部材に相当する部材である。外側ガイドレール５０は、内側ガイドレール６０を収容することにより当該内側ガイドレール６０が使用者から視認されることを抑止する役割を有する。外側ガイドレール５０は、スクリーン部材２２の上下方向に沿って延びる凹型の部材である。外側ガイドレール５０は、第１側壁５１、第２側壁５２、第１底壁５３、凹部５４、第１中間壁５５、および第２中間壁５６を有している。
【００２７】
第１側壁５１と第２側壁５２とは、枠部材１の側枠に接する第１底壁５３のうちスクリーン部材２２の厚み方向における両端から、スクリーン部材２２の左右方向に沿って延びており、互いに対向している。これらの第１側壁５１、第２側壁５２、および第１底壁５３によって取り囲まれる空間が凹部５４となる。また、第１中間壁５５と第２中間壁５６とは、第１底壁５３からスクリーン部材２２の左右方向に沿って凹部５４内へそれぞれ伸びており、互いに対向している。スクリーン部材２２の左右方向における第１中間壁５５および第２中間壁５６の幅は、スクリーン部材２２の左右方向における第１側壁５１および第２側壁５２の幅よりも小さく設定されている。また、第１中間壁５５は、第２中間壁５６に比して第１側壁５１側に位置しており、第２中間壁５６は、第１中間壁５５に比して第２側壁５２側に位置している。本実施形態では、第１側壁５１と第１中間壁５５との間の空間を第１空間Ｓ１と称し、第２側壁５２と第２中間壁５６との間の空間を第２空間Ｓ２と称し、第１中間壁５５と第２中間壁５６との間の空間を第３空間Ｓ３と称する。
【００２８】
なお、本実施形態では、外側ガイドレール５０は、第１側壁５１、第２側壁５２、第１底壁５３、凹部５４、第１中間壁５５、および第２中間壁５６を有しているが、これに限らず、内側ガイドレール６０を内部に収容可能な凹状の部材であればよい。
【００２９】
ここで、外側ガイドレール５０は、複数の固定部材７を介して枠部材１に固定されている。具体的には、固定部材７は、頭部７１およびネジ部７２を有するネジ止め部材であって、ネジ部７２が凹部５４側から第１底壁５３を貫通して枠部材１の側枠に延びており、これによりネジ部７２を介して第１底壁５３と枠部材１の側枠とが固定されている。そして、当該固定部材７による外側ガイドレール５０と枠部材１との固定状態において、固定部材７の頭部７１は、第３空間Ｓ３に配置されている。本実施形態では、図示は省略するが、複数の固定部材７がスクリーン部材２２の上下方向に沿って所定の間隔を空けて配置されており、当該複数の固定部材７によって外側ガイドレール５０と枠部材１とが固定されている。なお、固定部材７の個数および配置は任意であって、スクリーン装置Ｘ１の使用態様に応じて適宜変更することができる。
【００３０】
内側ガイドレール６０は、本発明に係るスクリーン装置のレール部材に相当する部材である。内側ガイドレール６０は、スクリーン部材２２における上下動をガイドする役割を有する。内側ガイドレール６０は、外側ガイドレール５０と同様に、スクリーン部材２２の上下方向に沿って延びている。内側ガイドレール６０は、第１レール部材６１および第２レール部材６２を備えている。
【００３１】
第１レール部材６１は、スクリーン部材２２における上下動を直接ガイドする部材である。第１レール部材６１は、中空形状をなしており、当該中空部分に対応するとともにスクリーン部材２２の上下方向に沿って延びる第１収容部６１ａと、当該第１収容部６１ａと第１レール部材６１の外部とを連通するともにスクリーン部材２２の上下方向に沿って延びる第１スリット６１ｂと、を有している。スクリーン部材２２の側端部２２ａは、第１スリット６１ｂを介して第１収容部６１ａに収容されている。換言すれば、スクリーン部材２２は、第１スリット６１ｂを介して第１収容部６１ａの内部および外部に位置している。
【００３２】
ここで、スクリーン部材２２の厚み方向における第１スリット６１ｂの幅は、スクリーン部材２２の側端部２２ａの厚みよりも小さい。このため、スクリーン部材２２は、第１レール部材６１によって当該スクリーン部材２２の左右方向における変位を規制されている。また、スクリーン部材２２の厚み方向における第１収容部６１ａの幅は、スクリーン部材２２の側端部２２ａの厚みよりも大きい。このため、スクリーン部材２２は、当該スクリーン部材２２の左右方向における変位が規制された状態で、当該スクリーン部材２２の上下方向において移動可能である。
【００３３】
第２レール部材６２は、第１レール部材６１を保持する部材である。第２レール部材６２は、第１対向壁６２ａ、第２対向壁６２ｂ、第２底壁６２ｃ、第２収容部６２ｄ、第２スリット６２ｅ、第１突起部６２ｆ、第２突起部６２ｇ、複数の第１舌片６２ｈ、複数の第２舌片６２ｉ、第１凸部６２ｊ、および第２凸部６２ｋを有している。
【００３４】
第１対向壁６２ａは、第１側壁５１に対向する部位である。第２対向壁６２ｂは、第２側壁５２に対向する部位である。第２底壁６２ｃは、第１底壁５３に対向する部位である。これらの第１対向壁６２ａ、第２対向壁６２ｂ、および第２底壁６２ｃによって取り囲まれる空間は、第１レール部材６１を収容する第２収容部６２ｄとなる。そして、第２収容部６２ｄは、第２レール部材６２のうち当該第２収容部６２ｄを挟んで第２底壁６２ｃの反対側に位置する上壁に設けられた第２スリット６２ｅを通じて、第２レール部材６２の外部と連通している。第１レール部材６１は、第２収容部６２ｄに収容されるとともに、当該第１レール部材６１のうち第１スリット６１ｂが設けられた面が第２スリット６２ｅにおいて第２収容部６２ｄから露出している。そして、第２レール部材６２の内周面と第１レール部材６１の外周面との間には、弾性体Ｅ１が介在しており、これにより枠部材１の両側枠に沿ってそれぞれ配置された各第１レール部材６１同士の間隔が調整される。当該間隔は、スクリーン部材２２に対して当該スクリーン部材２２の左右方向に適度な張力を与えることができる間隔に設定される。
【００３５】
第１凸部６２ｊは、第１対向壁６２ａからスクリーン部材２２の厚み方向に沿って第１側壁５１側に延びている。第２凸部６２ｋは、第２対向壁６２ｂからスクリーン部材の厚み方向に沿って第２側壁５２側に延びている。ここで、スクリーン部材２２の厚み方向における第１凸部６２ｊの頂点から第２凸部６２ｋの頂点までの離間距離は、当該厚み方向における外側ガイドレール５０の凹部５４の幅と略同一に設定されている。このため、第２レール部材６２は、第１凸部６２ｊが第１側壁５１に接するとともに第２凸部６２ｋが第２側壁５２に接する位置において、凹部５４内に収容されており、これにより当該凹部５４内において内側ガイドレール６０にガタツキが発生することが抑止される。
【００３６】
第１突起部６２ｆは、第２底壁６２ｃのうち第１対向壁６２ａ側の端部からスクリーン部材２２の左右方向に沿って第１底壁５３側に延びており、第１空間Ｓ１に挿入されている。第２突起部６２ｇは、第２底壁６２ｃのうち第２対向壁６２ｂ側の端部からスクリーン部材２２の左右方向に沿って第１底壁５３側に延びており、第２空間Ｓ２に挿入されている。内側ガイドレール６０は、第１突起部６２ｆが第１空間Ｓ１に挿入されるとともに、第２突起部６２ｇが第２空間Ｓ２に挿入された挿入位置において、外側ガイドレール５０の凹部５４に完全に収容されており、スクリーン部材２２の厚み方向において使用者から視認されない状態にある。なお、本実施形態における前記挿入位置とは、第１突起部６２ｆの先端および第２突起部６２ｇの先端と第１底壁５３との接触位置、あるいは第１中間壁５５の先端および第２中間壁５６の先端と第２底壁６２ｃとの接触位置を指す。
【００３７】
なお、第１突起部６２ｆおよび第２突起部６２ｇの配置および個数は任意であって、スクリーン装置Ｘ１の使用態様に応じて適宜変更することができる。例えば、第１突起部６２ｆおよび第２突起部６２ｇに代えて、スクリーン部材２２の厚み方向における第２底壁６２ｃの中央部から第１底壁５３側に延びる単一の突起部を設け、当該突起部を第３空間Ｓ３に挿入する構成としてもよい。この場合、固定部材７の頭部７１は、第３空間Ｓ３において前記突起部を避けるように配置されてもよいし、第１空間Ｓ１または第２空間Ｓ２に配置されてもよい。
【００３８】
各第１舌片６２ｈは、第１突起部６２ｆの突起方向、すなわちスクリーン部材２２の左右方向に交差する方向に沿って、当該第１突起部６２ｆから延びている。具体的には、各第１舌片６２ｈのうち一部の第１舌片６２ｈは、第１突起部６２ｆから第１側壁５１側に延びており、各第１舌片６２ｈのうち残部の第１舌片６２ｈは、第１突起部６２ｆから第１中間壁５５側に延びている。そして、各第１舌片６２ｈは、第１突起部６２ｆの前記挿入位置において、第１突起部６２ｆと第１側壁５１との間および第１突起部６２ｆと第１中間壁５５との間で弾性変形しており、第１側壁５１および第１中間壁５５に圧接されている。各第２舌片６２ｉは、第２突起部６２ｇの突起方向、すなわちスクリーン部材２２の左右方向に交差する方向に沿って、当該第２突起部６２ｇから延びている。具体的には、各第２舌片６２ｉのうち一部の第２舌片６２ｉは、第２突起部６２ｇから第２側壁５２側に延びており、各第２舌片６２ｉのうち残部の第２舌片６２ｉは、第２突起部６２ｇから第２中間壁５６側に延びている。そして、各第２舌片６２ｉは、第２突起部６２ｇの前記挿入位置において、第２突起部６２ｇと第２側壁５２との間および第２突起部６２ｇと第２中間壁５６との間で弾性変形しており、第２側壁５２および第２中間壁５６に圧接されている。このように、各第１舌片６２ｈおよび各第２舌片６２ｉは、第１突起部６２ｆおよび第２突起部６２ｇの前記挿入位置にて、スクリーン部材２２の厚み方向において外側ガイドレール５０の内周面に圧接されている。このため、内側ガイドレール６０は、例えばネジ止め等の固定作業を伴うことなく外側ガイドレール５０に保持されることになり、スクリーン部材２２の左右方向において当該内側ガイドレール６０が外側ガイドレール５０の凹部５４から脱着可能な状態にある。
【００３９】
なお、スクリーン装置Ｘ１では、各第１舌片６２ｈのうち一部の第１舌片６２ｈが第１突起部６２ｆから第１側壁５１側に延びており、各第１舌片６２ｈのうち残部の第１舌片６２ｈが第１突起部６２ｆから第１中間壁５５側に延びているが、これに限らず、例えば各第１舌片６２ｈが第１突起部６２ｆから第１側壁５１側にのみ延びていてもよい。また、スクリーン装置Ｘ１では、各第２舌片６２ｉのうち一部の第２舌片６２ｉが第２突起部６２ｇから第２側壁５２側に延びており、各第２舌片６２ｉのうち残部の第２舌片６２ｉが第２突起部６２ｇから第２中間壁５６側に延びているが、これに限らず、例えば各第２舌片６２ｉが第２突起部６２ｇから第２側壁５２側にのみ延びていてもよい。
【００４０】
また、スクリーン装置Ｘ１では、内側ガイドレール６０は、第１レール部材６１と第２レール部材６２との２つの部材によって構成されているが、これに限らない。例えば、内側ガイドレール６０は、第２レール部材６２のみによって構成され、第２収容部６２ｄに直接スクリーン部材２２の側端部２２ａが収容されてもよい。この場合、スクリーン部材２２の側端部２２ａの厚みは、当該スクリーン部材２２の厚み方向における第２スリット６２ｅの幅よりも大きく設定される。また、例えば、内側ガイドレール６０は、第１レール部材６１および第２レール部材６２に加えて、第３レール部材を有してもよい。具体的には、第３レール部材は、第１収容部６１ａに収容されるとともに第３収容部および第３スリットを有し、当該第３スリットを通じて第３収容部にスクリーン部材２２の側端部２２ａが収容される。この場合、スクリーン部材２２の側端部２２ａの厚みは、当該スクリーン部材２２の厚み方向における第３スリットの幅よりも大きく設定される。
【００４１】
このように、スクリーン装置Ｘ１では、スクリーン部材２２の左右方向において内側ガイドレール６０が凹部５４から着脱可能となるように、外側ガイドレール５０が内側ガイドレール６０を保持するため、スクリーン部材２２のメンテナンス性が向上する。例えば、内側ガイドレール６０がスクリーン部材２２の左右方向において凹部５４から脱離不可能なように外側ガイドレール５０に固定されていると、スクリーン部材２２のメンテナンスに際して当該スクリーン部材２２をスクリーン装置Ｘ１から取り外そうとした場合に、内側ガイドレール６０の第１レール部材６１がスクリーン部材２２の左右方向における変位を規制しているため、まず外側ガイドレール５０を枠部材１の側枠から取り外した上で、スクリーン部材２２の上下方向に沿って外側ガイドレール５０の凹部５４から内側ガイドレール６０を抜き取ることで、スクリーン部材２２と内側ガイドレール６０との係合体を外側ガイドレール５０から分離する必要がある。これに対して本実施形態に係るスクリーン装置Ｘ１では、スクリーン部材２２の左右方向において内側ガイドレール６０を外側ガイドレール５０の凹部５４から脱着可能であることから、外側ガイドレール５０を枠部材１から取り外すことなく内側ガイドレール６０を外側ガイドレール５０の凹部５４から取り外すことができるとともに、内側ガイドレール６０をスクリーン部材２２の上下方向に沿って外側ガイドレール５０の凹部５４から抜き取るような煩わしい工程が不要であることから、スクリーン部材２２と内側ガイドレール６０との係合体を外側ガイドレール５０から容易に分離することができ、これによりスクリーン部材２２のメンテナンス性が向上する。
【００４２】
さらに、スクリーン装置Ｘ１では、第１空間Ｓ１および第２空間Ｓ２において各第１舌片６２ｈおよび各第２舌片６２ｉが弾性変形することで、スクリーン部材２２の厚み方向において各第１舌片６２ｈおよび各第２舌片６２ｉが外側ガイドレール５０の内周面に圧接され、これにより第１突起部６２ｆおよび第２突起部６２ｇが保持されるため、第１空間Ｓ１および第２空間Ｓ２から第１突起部６２ｆおよび第２突起部６２ｇが不用意に抜け出ることを抑止でき、内側ガイドレール６０を外側ガイドレール５０に適正に保持させることができる。
【００４３】
さらに、スクリーン装置Ｘ１では、第３空間Ｓ３に固定部材７の頭部７１が配置されているため、凹部５４内における第１中間壁５５と第２中間壁５６との間のデッドスペースである第３空間Ｓ３を有効に活用して、固定部材７によって外側ガイドレール５０と枠部材１の側枠とを固定することができる。
【００４４】
以上説明したスクリーン装置Ｘ１は、例えば以下の工程を含む方法により、合理的かつ容易に製造されることが可能である。以下では、図４〜図８を参照しつつ、スクリーン装置Ｘ１の施工方法について詳述する。
【００４５】
１）巻取スクリーン２、本体部４１、および外側ガイドレール５０の取付け工程
まず、図４および図５を参照しつつ、巻取スクリーン２、本体部４１、および外側ガイドレール５０の取付け工程について説明する。
【００４６】
この工程では、まず、木材、金属材料、あるいは樹脂材料等からなる枠部材１が準備される。当該枠部材１は、平面視して略矩形状に形成される。
【００４７】
次に、巻取軸２１およびスクリーン部材２２を備えた巻取スクリーン２と、ウェイトバー４の本体部４１と、が準備され、スクリーン部材２２の下端部に本体部４１が取り付けられた状態における巻取スクリーン２が枠部材１に取り付けられる。
【００４８】
具体的には、布製等のスクリーン素材が、枠部材１が取り囲む領域と同程度の面積を有する略矩形状に形成される。そして、前記スクリーン素材の両側端、すなわちスクリーン素材の両長辺に対して、樹脂材料等からなる抜止部材が取り付けられる。より具体的には、テープ状の抜止部材が折り曲げられ、当該抜止部材がスクリーン素材の両側端を当該スクリーン素材の両面から挟み込むようにして当該両側端に接着される。このようにして、スクリーン部材２２が形成される。そして、スクリーン部材２２の上端部、すなわちスクリーン部材２２の一方の短辺は、円柱形状に形成された巻取軸２１に対して当該巻取軸２１の軸方向に沿って取り付けられる。これにより、スクリーン部材２２は、巻取軸２１に対して当該巻取軸２１の周方向に巻き取り可能な状態となる。
【００４９】
次に、本体部４１がスクリーン部材２２の下端部に取り付けられる。具体的には、本体部４１は、スクリーン部材２２のうち巻取軸２１に取り付けられた短辺の反対側に位置する短辺に沿って取り付けられる。ここで、本体部４１の長さは、スクリーン部材２２の下端部の幅に比して小さく設定されており、本体部４１の長さ方向における両側において当該本体部４１から前記下端部の両端が露出する。
【００５０】
このようにして本体部４１が取り付けられた状態における巻取スクリーン２は、枠部材１によって取り囲まれる領域において、枠部材１の上枠に沿って配置される。そして、巻取スクリーン２における巻取軸２１は、当該巻取軸２１の周方向に回動可能な状態で、枠部材１の両側枠に固定される。
【００５１】
次に、金属材料あるいは樹脂材料等からなる外側ガイドレール５０が準備され、当該外側ガイドレール５０が枠部材１に取り付けられる。具体的には、例えば一方方向に沿って押出し成形を行うことにより、当該一方方向に沿って延びる凹形状をなす外側ガイドレール５０が成形される。そして、外側ガイドレール５０は、固定部材７を介して枠部材１の側枠に固定される。この際、固定部材７のネジ部７２が凹部５４から第１底壁５３を貫通して枠部材１の側枠に延び、当該固定部材７の頭部７１が第１中間壁５５と第２中間壁５６との間の空間である第３空間Ｓ３に配置される。
【００５２】
２）内側ガイドレール６０の嵌め込み工程
次に、図６および図７を参照しつつ、内側ガイドレール６０の嵌め込み工程について説明する。
【００５３】
この工程では、まず、第１レール部材６１および第２レール部材６２を備える内側ガイドレール６０が準備される。
【００５４】
具体的には、まず、樹脂材料を押出成形することによって、一方方向に沿って延びる中空形状の第１レール部材６１が成形される。
【００５５】
次に、樹脂材料を押出成形することによって、一方方向に沿って延びる中空形状の第２レール部材６２が成形される。なお、第２レール部材６２の第１舌片６２ｈおよび第２舌片６２ｉは、例えば共押出成形によって、当該第１舌片６２ｈおよび第２舌片６２ｉ以外の部位に比して弾性率が低くなるように形成される。
【００５６】
次に、第２レール部材６２の長さ方向に沿って当該第２レール部材６２の第２収容部６２ｄに第１レール部材６１が挿入される。これにより、第１レール部材６１は、第１スリット６１ｂが第２スリット６２ｅから露出した状態で第２収容部６２ｄに保持される。
【００５７】
次に、第１レール部材６１の長さ方向に沿って、第１スリット６１ｂを通じてスクリーン部材２２の側端部２２ａが第１収容部６１ａに収容され、これによりスクリーン部材２２の短辺方向、すなわちスクリーン部材２２の左右方向における変位が規制される。
【００５８】
そして、内側ガイドレール６０がスクリーン部材２２の左右方向に沿って外側ガイドレール５０の凹部５４に収容される。このとき、第１突起部６２ｆが第１側壁５１と第１中間壁５５との間の第１空間Ｓ１に挿入されるとともに、第２突起部６２ｇが第２側壁５２と第２中間壁５６との間の第２空間Ｓ２に挿入され、第１中間壁５５の先端および第２中間壁５６の先端と第２底壁６２ｃとが接触する位置において当該挿入が停止される。このようにして挿入が停止された挿入位置において、内側ガイドレール６０が外側ガイドレール５０の凹部５４に完全に収容されるとともに、スクリーン部材２２の厚み方向において第１舌片６２ｈおよび第２舌片６２ｉが弾性変形し、当該弾性変形による反発力が外側ガイドレール５０の内周面に加わることで、内側ガイドレール６０が外側ガイドレール５０に保持される。
【００５９】
３）前面カバー３およびサイドキャップ４２の取付け工程
次に、図８を参照しつつ、前面カバー３およびウェイトバー４のサイドキャップ４２の取付け工程について説明する。
【００６０】
この工程では、まず、金属材料等からなる前面カバー３が準備され、当該前面カバー３が枠部材１に取り付けられる。具体的には、前面カバー３は、スクリーン部材２２が巻取軸２１に完全に巻き取られた状態における巻取スクリーン２が使用者から視認されるのを防ぐ程度の大きさで形成される。そして、前面カバー３は、巻取軸２１の前方に配置されるとともに、図示しないマグネットシート等を介して枠部材１に固定される。
【００６１】
次に、ウェイトバー４のサイドキャップ４２が準備され、当該サイドキャップ４２が本体部４１の長さ方向の両側において当該本体部４１から露出したスクリーン部材２２の下端部に取り付けられる。具体的には、まず、サイドキャップ４２を構成する一対の一方側部材４２ａおよび他方側部材４２ｂが準備される。そして、一方側部材４２ａと他方側部材４２ｂとがスクリーン部材２２の下端部のうち本体部４１から露出した部位を挟んで対向するように配置される。このとき、一方側部材４２ａと他方側部材４２ｂとの間の空間である凹部４２ｃに本体部４１の端部が配置されるとともに、外側ガイドレール５０の凹部５４にサイドキャップ４２の一部が配置される。そして、この状態において一方側部材４２ａと他方側部材４２ｂとがビス等によって固定される。これにより、ウェイトバー４の上下動が外側ガイドレール５４によってガイドされることになる。なお、前述の本体部４１は、この工程においてサイドキャップ４２とともにスクリーン部材２２の下端部に取り付けられてもよい。
【００６２】
以上のスクリーン装置Ｘ１の施工方法では、固定器具を別途設けることなく外側ガイドレール５０に内側ガイドレール６０を保持させることができるため、スクリーン部材２２の左右方向において内側ガイドレール６０を外側ガイドレール５０の凹部５４から脱着可能とすることができ、これによりスクリーン装置Ｘ１のメンテナンス性を向上することができる。
【００６３】
特に、上記のスクリーン装置Ｘ１の施工方法では、巻取スクリーン２を枠部材１に取り付ける段階においてウェイトバー４のうち本体部４１のみをスクリーン部材２２の下端部に取り付けるとともに、内側ガイドレール６０を外側ガイドレール５０の凹部５４に収容した後の段階においてサイドキャップ４２をスクリーン部材２２の下端部のうち本体部４１から露出した部位に取り付けている。このため、スクリーン部材２２の左右方向において内側ガイドレール６０を外側ガイドレール５０の凹部５４から取り外す際には、まず一方側部材４２ａと他方側部材４２ｂとを分離することでサイドキャップ４２を取り外し、これにより前記左右方向において本体部４１と外側ガイドレール５０との間に所定の隙間を生じさせることで、スクリーン部材２から本体部４１を取り外すことなく内側ガイドレール６０を凹部５４から容易に取り外すことができる。なお、内側ガイドレール６０を外側ガイドレール５０の凹部５４から取り外す手順は、上記の手順に限らず、例えばサイドキャップ４２に加えて本体部４１もスクリーン部材２２から取り外した後に内側ガイドレール６０を凹部５４から取り外してもよいし、本体部４１およびサイドキャップ４２がスクリーン部材２２に取り付けられた状態で内側ガイドレール６０を凹部５４から取り外してもよい。
【００６４】
さらに、上記のスクリーン装置Ｘ１の施工方法では、内側ガイドレール６０が外側ガイドレール５０の凹部５４に嵌め込まれる際に、当該凹部５４に対して内側ガイドレール６０が収容されると同時に、第１空間Ｓ１および第２空間Ｓ２に対して第１突起部６２ｆおよび第２突起部６２ｇが挿入され、これにより各第１舌片６２ｈおよび各第２舌片６２ｉが弾性変形することで内側ガイドレール６０が外側ガイドレール５０に保持されるため、簡易な工程でスクリーン装置Ｘ１を製造することができる。
【００６５】
以上、本実施形態に係るスクリーン装置Ｘ１について詳細に説明したが、本発明に係るスクリーン装置は、これに限らず種々の変形が可能である。
【００６６】
本実施形態に係るスクリーン装置Ｘ１では、第１空間Ｓ１および第２空間Ｓ２への第１突起部６２ｆおよび第２突起部６２ｇの挿入に伴って、各第１舌片６２ｈおよび各第２舌片６２ｉが弾性変形することで、内側ガイドレール６０が外側ガイドレール５０に保持されているが、これに限らず、本発明の趣旨を逸脱しない範囲においては内側ガイドレール６０が外側ガイドレール５０に如何なる手法で保持されていてもよい。
【００６７】
例えば、本実施形態に係るスクリーン装置Ｘ１において、各第１舌片６２ｈおよび各第２舌片６２ｉが存在せず、第１空間Ｓ１および第２空間Ｓ２への第１突起部６２ｆおよび第２突起部６２ｇの挿入のみによって内側ガイドレール６０が外側ガイドレール５０に保持される構成を採用してもよい。
【００６８】
また、図９に示すように、本実施形態に係るスクリーン装置Ｘ１において、第１突起部６２ｆおよび第２突起部６２ｇが存在せず、各第１舌片６２ｈが第１対向壁６２ａから第１側壁５１側に延びるとともに、各第２舌片６２ｉが第２対向壁６２ｂから第２側壁５２側に延びる構成を採用してもよい。このような場合、内側ガイドレール６０は、各第１舌片６２ｈが第１側壁５１と第１対向壁６２ａとの間で弾性変形することにより当該弾性変形の反発力が第１側壁５１に加わるとともに、各第２舌片６２ｉが第２側壁５２と第２対向壁６２ｂとの間で弾性変形することにより当該弾性変形の反発力が第１側壁５１に加わることで、外側ガイドレール５０に保持される。図８に示すスクリーン装置Ｘ１の変形例では、上記のとおりスクリーン部材２２の左右方向に沿って延びる第１突起部６２ｆおよび第２突起部６２ｇが存在しないため、本実施形態に係るスクリーン装置Ｘ１に比してスクリーン部材２２の左右方向における外側ガイドレール５０および内側ガイドレール６０の幅を小さくすることができる。
【符号の説明】
【００６９】
Ｘ１    スクリーン装置
１      枠部材
２      巻取スクリーン
２２    スクリーン部材
２２ａ  側端部
５      ガイドレール
５０    外側ガイドレール（レール収容部材）
５１    第１側面
５２    第２側面
５３    第１底面
５４    凹部
５５    第１中間壁
５６    第２中間壁
６０    内側ガイドレール（レール部材）
６１    第１レール部材
６１ａ  第１収容部（収容部）
６１ｂ  第１スリット（スリット）
６２    第２レール部材
６２ａ  第１対向壁
６２ｂ  第２対向壁
６２ｃ  第２底壁
６２ｆ  第１突起部
６２ｇ  第２突起部
６２ｈ  第１舌片
６２ｉ  第２舌片
７      固定部材
７１    頭部
７２    ネジ部
【図１】
2015209731.tif 000003
【図２】
2015209731.tif 000004
【図３】
2015209731.tif 000005
【図４】
2015209731.tif 000006
【図５】
2015209731.tif 000007
【図６】
2015209731.tif 000008
【図７】
2015209731.tif 000009
【図８】
2015209731.tif 000010
【図９】
2015209731.tif 000011